(57)【要約】      （修正有）【課題】従来の乾燥シートに比べて吸湿速度を速めることが可能で、しかも、コンパクトに収納でき携帯に便利な携帯用乾燥シートを提供する。【解決手段】開口部Ｐ１に密封用のシールチャックＰ２を有する袋体Ｐ内部に、被乾燥物と共に収納される乾燥シートを設ける。紙パルプシートに塩化カルシウムを含侵させてシート体１を形成する。シート体１のシート表面を貫通する多数の貫通孔の内周縁で繊維の切断端部が表出する吸湿促進部２を形成する。シート体１のシート表面に加えて吸湿促進部２からも吸湿するように設ける。【選択図】図１
0003137265.tif 000002
【実用新案登録請求の範囲】
【請求項１】
湿気に対して密封可能な袋体内部に、被乾燥物と共に収納される乾燥シートにおいて、繊維材で形成されたシートに乾燥剤を含侵させてシート体を形成し、該シート体のシート表面を形成する繊維を切り欠いて繊維の切断端部が表出する吸湿促進部２を形成し、シート体のシート表面に加えて吸湿促進部からも吸湿するように設けたことを特徴とする携帯用乾燥シート。
【請求項２】
前記シート体は、紙パルプシートに塩化カルシウムを含侵させて形成された請求項１記載の携帯用乾燥シート。
【請求項３】
前記吸湿促進部は、前記シート体のシート表面を貫通する多数の貫通孔の内周縁で形成された請求項１又は２記載の携帯用乾燥シート。
【請求項４】
前記袋体は、透湿率の低い素材フィルムによって形成されると共に、開口部に密封用のシールチャックを有する袋体であり、複数枚の前記シート体と共に被乾燥物を収納するように設けられた請求項１乃至３いずれか記載の携帯用乾燥シート。
【考案の詳細な説明】
【技術分野】
【０００１】
本考案は、例えば旅行先などで、洗濯した下着類等の被乾燥物を乾燥せしめる携帯用乾燥シートに係り、従来の乾燥シートよりも速い吸湿速度で乾燥させることが可能な携帯用乾燥シートに関する。
【背景技術】
【０００２】
近年、海外旅行など長期の旅行が増加傾向にある。このような長期の旅行には、多くの衣類が必携品となっている。ところが、特に女性の場合、下着や靴下などは、クリーニングに出しにくい状況になりがちで、しかも宿泊先の施設で自ら洗濯をしたとしても宿泊先で衣類を乾燥させることが難しいことから、やむを得ず多数の下着類を携行することが多くなっている。このため、汚れた下着を持ち歩くことになり、通関検査などで不快な思いをすることもあった。そこで、宿泊場所でも洗濯物を短時間で乾燥させることができる乾燥シートの提供が望まれている。
【０００３】
この種の乾燥シートとして、特許文献１や特許文献２に記載の乾燥シートがある。また、旅行に衣類を携帯するときなどに使用する収納バックが特許文献３に記載されている。
【０００４】
特許文献１に記載の乾燥シートは、当出願人が先に提案したシート状乾燥剤に関するもので、乾燥シートを形成する紙パルプの代わりに、乾燥状態でも柔軟性や伸縮性に優れたレーヨン等の人造繊維を用いたシート状乾燥剤である。
【０００５】
一方、特許文献２に記載の乾燥剤は、乾燥シートを洗濯した衣料と共に密封可能な袋に収納することで、洗濯した衣料を乾燥させるようにした衣料用乾燥具である。
【０００６】
特許文献３の収納バッグは、プラスチックフィルムよりなるバッグ本体に、扁平な逆流防止弁からなる空気抜きを備えたもので、本体フィルムに、脱臭剤、乾燥剤、抗菌剤、防黴剤、脱酸素剤などを含有することができるとするものである。
【特許文献１】実用新案登録第３０６１８５１号公報
【特許文献２】特開２００２‐３５５４９８号公報
【特許文献３】実開平５‐９４１３７号公報
【考案の開示】
【考案が解決しようとする課題】
【０００７】
特許文献１、２に記載の乾燥シートは、いずれもシートの表面に衣類等の被乾燥物を重ねることで、被乾燥物の湿気を乾燥シートに吸着せしめて衣類等を乾燥させるものである。そのため、乾燥時間は、乾燥シートの吸湿性能に左右されるものである。
【０００８】
特許文献１の乾燥シートは、乾燥状態でも柔軟性や伸縮性を備えているので、被乾燥物の形状に自由に合わせることができる。したがって、曲面形状を有する被乾燥物や凹凸形状が多い被乾燥物でも乾燥シートが直接接触する面積を多くすることが可能である。そのため、特許文献１の乾燥シートは、このような曲面形状を有するものや凹凸形状が多い被乾燥物に対しての吸湿性能が優れたものになっている。ところが、平板状の乾燥シートの表面全体に被乾燥物を直接接触させた状態での吸湿性能は、塩化カルシウム等の乾燥剤を含有させた乾燥シート自体の吸湿性能が限界になるので、同じ材質で形成された他の乾燥シートの吸湿速度を超えることはできないものであった。
【０００９】
また、特許文献２に記載の乾燥シートでは、重ねた２枚の不織布を格子状に接着し、接着されていない不織布の間にシリカゲル等の乾燥剤を封入した構造になっている。そのため、特許文献２の吸湿構造は、この不織布の間に封入した複数の乾燥剤がこの不織布を介して吸湿する構造になっている。この結果、乾燥剤が被乾燥物に直接接触して吸湿することができず、乾燥剤が被乾燥物に直接接触する前記特許文献１の乾燥シートに比べて吸湿速度が遅くならざるを得ないものであった。
【００１０】
更に、乾燥剤を収納した複数の収納部は、シート本体となる不織布よりも極めて肉厚に形成されることから、乾燥シート自体が携帯時に嵩張る不都合もある。
【００１１】
一方、特許文献３に記載の収納バッグは、衣類を密封状態で収納することが目的であるから、仮に本体フィルムに、乾燥剤などを含有させることができるとしても、吸湿性能は極めて限定されており、衣服等の被乾燥物を短時間で乾燥させることは不可能である。
【００１２】
そこで、本考案は、上述の課題を解消すべく案出されたもので、これまでの乾燥シートに比べて吸湿速度を実用的なレベルに速めることが可能で、しかも、コンパクトに収納でき携帯に便利な携帯用乾燥シートの提供を目的とするものである。
【課題を解決するための手段】
【００１３】
上述の目的を達成するため、本考案の第１の手段は、湿気に対して密封可能な袋体Ｐ内部に、被乾燥物Ｑと共に収納される乾燥シートにおいて、繊維材で形成されたシートに乾燥剤を含侵させてシート体１を形成し、該シート体１のシート表面１Ａを形成する繊維を切り欠いて繊維の切断端部が表出する吸湿促進部２を形成し、シート体１のシート表面１Ａに加えて吸湿促進部２からも吸湿するように設けたことにある。
【００１４】
第２の手段の前記シート体１は、紙パルプシートに塩化カルシウムを含侵させて形成されたものである。
【００１５】
第３の手段の前記吸湿促進部２は、前記シート体１のシート表面１Ａを貫通する多数の貫通孔３の内周縁で形成されている。
【００１６】
第４の手段の前記袋体Ｐは、透湿率の低い素材フィルムによって形成されると共に、開口部Ｐ１に密封用のシールチャックＰ２を有する袋体Ｐであり、複数枚の前記シート体１と共に被乾燥物Ｑを収納するように設けられたことを課題解消のための手段とする。
【考案の効果】
【００１７】
本考案の請求項１により、シート体１のシート表面１Ａを形成する繊維を切り欠いて繊維の切断端部が表出する吸湿促進部２を形成し、シート体１のシート表面１Ａに加えて吸湿促進部２からも吸湿するように設けているので、被乾燥物Ｑの水分を効率良く吸湿することができる。この結果、従来の乾燥シートに比べて吸湿速度を速めることが可能になった。
【００１８】
請求項２により、本考案乾燥シートは、これまでの乾燥シートと同様に形成することができ、製造コストを抑えることが可能である。したがって、本考案乾燥シートを低価格で提供することができる。
【００１９】
請求項３によると、吸湿促進部２の製造工程を簡略化することができるので、より低価格での提供が可能になる。しかも、シート体１自体が軽量化され、小さく折畳むことも可能であるから、コンパクトに収納でき携帯に便利である。また、貫通孔３の形状、寸法、個数、配置を自由に選ぶことにより、切断端部の総面積を調整して吸湿速度を必要十分なレベルに調整することが可能になる。
【００２０】
請求項４では、開口部Ｐ１に密封用のシールチャックＰ２を有する袋体Ｐを用い、袋体Ｐの材質を透湿率の低い素材とすることで、本考案乾燥シートの吸湿効果を高めることができる。また、必要に応じ、前記シート体１の使用枚数を複数枚とすることにより、被乾燥物Ｑの量や乾燥速度を調整することも可能になる。
【００２１】
このように、本考案によると、これまでの乾燥シートに比べて吸湿速度を速めることが可能になって、宿泊先での就寝中または旅行の移動中の時間内に被乾燥物Ｑを乾燥させることが可能になり、しかも、コンパクトに収納でき携帯に便利になるなどといった実用上有益な種々の効果を奏するものである。
【考案を実施するための最良の形態】
【００２２】
本考案の最良の形態は、開口部Ｐ１に密封用のシールチャックＰ２を有する袋体Ｐ内部に、被乾燥物Ｑと共に収納される乾燥シートを設ける。紙パルプシートに塩化カルシウムを含侵させてシート体１を形成する。シート体１のシート表面１Ａを貫通する多数の貫通孔３の内周縁で繊維の切断端部が表出する吸湿促進部２を形成する。シート体１のシート表面１Ａに加えて吸湿促進部２からも吸湿するように設けることにより当初の目的を達成するものである。
【実施例】
【００２３】
本考案乾燥シートは、被乾燥物Ｑと共に密封可能な袋体Ｐ内部に収納される乾燥シートである。被乾燥物Ｑは、主に旅行先での下着類の洗濯物などを予定しているが、被乾燥物Ｑの種類や使用方法は適宜変更することが可能である。
【００２４】
本考案乾燥シートで用いる袋体Ｐの材質は、特に、透湿性の低い材質が好ましく、例えば蒸着ＰＥＴフィルムなどが好適である。また、このほか、ラミネートフィルムや単層のフィルムなど、湿気に対して密封可能な袋体Ｐであればどのような袋体Ｐでもよく、特に、開口部Ｐ１に密封用のシールチャックＰ２を有する袋体Ｐを使用することで、袋体Ｐの密封力を高めることができるのでより好適である。また、従来例として前述した特許文献３に記載の収納バッグを袋体Ｐとして用いることも可能である。更に、湿度の変化を色彩の変化で示す試験紙等やこれに類するものを透明な袋体Ｐに同封することで、乾燥状態を確認することが可能になる。図示例では、使用前のシート体１をこの袋体Ｐに収納し密封することで、本考案乾燥シートを携帯できるように設けている（図１参照）。
【００２５】
シート体１は、紙パルプ等の繊維材で形成されたシートに塩化カルシウム等の乾燥剤を含侵させて形成したもので、携帯用のサイズとして、厚み１mm〜１０mm、Ａ５版〜Ａ３版サイズのものが好適である（図３参照）。このサイズは、使用目的に応じてシート体１のサイズを任意に変更することも可能である。
【００２６】
また、本考案乾燥シートの吸湿速度を更に高めるために、複数枚のシート体１を重ねて使用することができる。図示例では、４枚のシート体１を重ねて一体化したものを、不織布等の透湿性の保護袋Ｒに二組収納している（図２参照）。そして、使用時には、この保護袋Ｒごと使用するように設けている。尤も、保護袋Ｒを用いずにシート体１のみで使用することも可能である。
【００２７】
吸湿促進部２は、シート体１のシート表面１Ａを形成する繊維を切り欠いて繊維の切断端部が表出するように設けた部位である（図３参照）。シート体１のシート表面１Ａに接触させる被乾燥物Ｑをこの吸湿促進部２にも接触させることで、吸湿速度を速めるものである。図示例の吸湿促進部２は、シート体１のシート表面１Ａを貫通する多数の貫通孔３の内周縁で形成されているが、吸湿促進部２の形状、個数、配置等は任意に変更できるもので、要は、繊維の切断端部が表出するものであればよい。
【００２８】
本考案の使用方法は図４に示す通りである。まず、洗濯した衣類をよく絞り、バスタオルＴなどに挟んで足で１〜２分ほど踏み付けて、できるだけ水分を取り除く（同図イ参照）。次に、２枚のシート体１の間にこの衣類を挟み込む（同図ロ参照）。このとき、シート体１は保護袋Ｒに収納された状態で使用する。そして、この状態で袋体Ｐの内部に収納し、袋体Ｐ内部の空気をできるだけ抜いたら、袋体Ｐの開口部を密封する。乾燥後、袋体Ｐから衣類を取り出して使用する。化繊の衣類などは一晩で乾燥させることが可能である。また、使用済みのシート体１は、吸湿した湿度を乾燥させることで再使用することが可能である。
【００２９】
表１は本考案乾燥シートと従来型の乾燥シートの吸湿速度を比較したデータである。この実験では、厚み1mmで、200 mm×265 mmの従来のシート体１を2枚重ねたものと、厚み1mmのシート体１を4枚重ねて一体化した200 mm×265 mmの本考案のシート体１との吸湿速度を比較している。どちらのシートも紙パルプシートに塩化カルシウムを含侵させて形成したものである。尚、本考案では、吸湿促進部２として、直径20 mmの貫通孔３を多数設けているので、シート体１の吸湿前の総重量は58.9ｇとなり、従来型シートの吸湿前の総重量62.8ｇよりやや軽い状態での計測になっている。
（表１）
１日目    ２日目    ３日目    ４日目
従来型シート  総重量（ｇ）  119.6      128.3     132.1     136.7
（62.8ｇ）    吸湿量（ｇ）   56.8       65.5      69.3      73.9
吸湿比（％）   90.44     104.29    110.35    117.67 
本考案シート  総重量（ｇ）  128.9      135.6     138.2     143.4
（58.9ｇ）    吸湿量（ｇ）   70.0       76.7      79.3      84.5
吸湿比（％）  118.84     130.22    134.63    143.46 
【００３０】
この実験の結果、本考案シートは、１日目の吸湿量が70.0ｇとなり、従来型シートの３日目の吸湿量69.3ｇを超えることが明らかになっている。すなわち、本考案シートの吸湿速度は、従来型シートの吸湿速度と比較して、２日分も早いことが判る。しかも、４日目の吸湿比を比較すると、従来型シートが117.67％であるのに対し、本考案シートの吸湿比は143.46％であり、本考案シートの吸湿性能が明らかに向上していることが示されている。
【００３１】
尚、図示例の各構成は、本考案の一実施例に過ぎず、シート体１や吸湿促進部２の形状や寸法、吸湿促進部２を形成する貫通孔３の形状や寸法などは自由に変更可能なものであり、シート体１や乾燥剤の材質なども本考案の要旨を変更しない範囲において自由に変更することができる。
【図面の簡単な説明】
【００３２】
【図１】本考案の一実施例を示す正面図である。
【図２】本考案のシート体の収納状態を示す側断面図である。
【図３】本考案シート体を示す斜視図である。
【図４】本考案の使用方法を示す説明図である。
【符号の説明】
【００３３】
Ｐ  袋体
Ｐ１  開口部
Ｐ２  シールチャック
Ｑ  被乾燥物
Ｒ  保護袋
Ｔ  バスタオル
１  シート体
１Ａ  シート表面
２  吸湿促進部
３  貫通孔
【図１】
0003137265.tif 000003
【図２】
0003137265.tif 000004
【図３】
0003137265.tif 000005
【図４】
0003137265.tif 000006